(57)【要約】【課題】  本発明は、商品およびサービスの特性をチェックすることにより、条件製品チェッカー(term product checker)を用いることができるようにするためのデバイスおよび方法を提供する。【解決手段】  商品およびサービスの標準化された特性が第１のデータバンクに記憶される。商品およびサービスは明確な製品ＩＤを備える。第２のデータバンクも存在し、少なくとも１人のユーザに対し、商品およびサービスについての除外基準および望ましい基準がそれぞれ記憶され、上記基準は、明確なユーザＩＤを用いてアクセスされる。製品特性は、好ましくは、製品ＩＤを判定するデバイスを使ってオンラインでロードされ、ユーザの基準と比較される。この比較は、中央サーバ上、またはユーザが携帯するハンドヘルドリーダ上でオンラインに実行される。ユーザには、その結果が光学的または音響的に通知される。
2005539286.tif 000002
【特許請求の範囲】
【請求項１】
商品および／またはサービスの特性をチェックするための方法であって、
商品および／またはサービスの好適に標準化された特性が記憶された第１のデータベースへのアクセスがあり、当該商品および／またはサービスは固有の製品ＩＤを有し、
ユーザ毎の商品および／またはサービスについての除外基準および／または望ましい基準が記憶された第２のデータベースへのアクセスがあり、当該基準は固有のユーザＩＤを用いてアクセスされ、
ユーザが商品および／またはサービスを、製品ＩＤの判定結果としてマークするステップを有し、
ユーザが固有のユーザＩＤを提供するさらなるステップを有し、
除外基準および／または望ましい基準が、ユーザＩＤに基づいて判定され、ロードされ、かつ商品および／またはサービスの特性が製品ＩＤに基づいて提供されるさらなるステップを有し、
前記基準が前記特性と比較され、ユーザがその結果について通知されるステップを有する、方法。
【請求項２】
前記基準および特性は構造化されて記憶され、部類に類別され、階層を用いることにより検索処理の速度を上げる、請求項１に記載の方法。
【請求項３】
前記ユーザのプロフィールは携帯デバイスに記憶され、前記比較されるステップは、当該携帯デバイスにおいて、前記製品特性の送信後に行われるか、または中央デバイスもしくは分散デバイスにおいて、前記除外基準および／または望ましい基準を当該中央デバイスもしくは分散デバイスに与えることにより行われる、請求項１に記載の方法。
【請求項４】
商品およびサービスの特性が構成ステップで入力され、除外基準または包含基準が当該入力である、請求項１に記載の方法。
【請求項５】
前記製品ＩＤはバーコードである、請求項１に記載の方法。
【請求項６】
前記製品ＩＤは、クリックされると当該製品ＩＤで前記第１のデータベースへのアクセスを可能にするインターネット上の固有のリンクとして構成され、前記ユーザは、好ましくは、クッキーを介して、前記除外基準または包含基準へのアクセスを可能にすることにより、比較動作が中央サーバで行われる、請求項１に記載の方法。
【請求項７】
前記製品ＩＤは、インターネット上で固有の情報として記憶され、クライアントコンピュータはこの情報を読み取り、前記第１のデータベースから前記特性をロードし、前記ロードされた除外または包含基準と比較し、当該除外または包含基準は、インターネット上の中央データベースまたはローカルのデータベースか当該クライアントコンピュータにロードされる、請求項１に記載の方法。
【請求項８】
前記方法に従って商品および／またはサービスの特性をチェックするための携帯ユーザデバイスであって、
製品ＩＤを読み込み、かつ／または入力することができる、読取りおよび／または入力ユニットを備え、
除外基準および／または望ましい基準についてユーザＩＤが記憶された記憶領域を備え、
ユーザＩＤおよび製品ＩＤを、当該ＩＤによる商品および／またはサービスの特性へのアクセスを有し、当該ユーザＩＤと関連づけられた除外および／または包含基準と比較し、当該比較の結果を返信する中央サーバに送出することが可能なネットワーク接続手段を備え、
前記商品および／またはサービスの特性と、詳細には、一致および／または不一致の度合いである前記除外および／または包含基準との比較の結果を示す表示ユニットを備える、デバイス。
【請求項９】
詳細には、前記方法に従って商品および／またはサービスの特性をチェックするための携帯ユーザデバイスであって、
製品ＩＤを読み込み、かつ／または入力することができる、読取りおよび／または入力ユニットを備え、
除外基準および／または望ましい基準が記憶された記憶領域を備え、
製品ＩＤを、当該ＩＤを介した商品および／またはサービスの特性へのアクセスを有する中央サーバに送出することが可能なネットワーク接続手段であって、当該特性を受信するネットワーク接続手段を備え、
特性と、除外および／または望ましい基準とを相互に比較する比較ユニットを備え、
商品および／またはサービスの特性と、除外および／または包含基準、一致および／または不一致の度合いとの比較の結果を示す表示ユニットを備える、デバイス。
【請求項１０】
前記読取りユニットはバーコードリーダである、請求項９に記載の携帯ユーザデバイス。
【請求項１１】
無線ＬＡＮ、ＧＳＭネットワーク、またはＵＭＴＳネットワークとの接続を可能にする手段を備える、請求項９に記載の携帯ユーザデバイス。
【請求項１２】
ダウンロード後に下記の機能を提供する、詳細には、ＰＤＡまたは携帯電話である携帯ユーザデバイスのためのソフトウェアであって、
入力能力、および／または製品ＩＤ読取り能力と、
除外および／または包含基準が記憶されるか、または固有のユーザＩＤが記憶される記憶領域の確保と、
前記ＩＤによる商品および／またはサービスの特性へのアクセスを有する中央サーバへの製品ＩＤの送出、ならびに当該特性の受信し、除外および／または望ましい基準と比較すること、または
製品ＩＤおよびユーザＩＤを、当該製品ＩＤに基づく商品および／またはサービスの特性へのアクセス、および当該ユーザＩＤに基づく除外基準および／または望ましい基準へのアクセスを有する中央サーバに送出し、当該サーバにより比較が行われ、その結果が送信されることと、
商品および／またはサービスの特性と、詳細には、一致および／または不一致の度合いである、除外および／または包含基準との比較の結果を表示すること、
を提供するソフトウェア。
【請求項１３】
先行するソフトウェアクレームのうちの１つ以上に記載のソフトウェアを記憶するローディング可能なデータ構造を含むデータキャリア。
【請求項１４】
数台のインターリンクされたサーバまたは単一のサーバから構成されたサーバシステムであって、
商品および／またはサービスの好適に標準化された特性が記憶された第１のデータベースが記憶された第１の記憶媒体を備え、当該商品および／またはサービスは固有の製品ＩＤを有し、
ユーザ毎の商品および／またはサービスについての除外基準および／または望ましい基準が記憶された第２のデータベースが記憶された第２の記憶媒体を備え、当該基準へのアクセスが固有のユーザＩＤを用いて行われ、
ユーザＩＤ情報および製品ＩＤ情報を受信するネットワークユニットを備え、
除外基準および／または望ましい基準、ならびに商品および／またはサービスの特性を、前記ＩＤに基づいて前記データベースからダウンロードして比較する処理ユニットを備え、その結果が送信されるか、または呼び出しのために記憶される、サーバシステム。
【請求項１５】
ＵＲＬクエリーを受信することによって、前記製品ＩＤを当該ＵＲＬクエリーにおいて検索することが可能な手段が存在し、詳細には、クッキーの形態である固有のユーザＩＤをクライアントに要求する手段が存在する、請求項１４に記載のサーバシステム。
【請求項１６】
先行する請求項に記載のサーバの機能性を従来のコンピュータ上で実現する、コンピュータによるローディングが可能なデータ構造を特徴とするデータキャリア。
【発明の詳細な説明】
【技術分野】
【０００１】
本発明は、商品およびサービスの特性をチェックするための方法およびデバイスに関する。詳細には、これらは、ユーザが製品の品質性能および成分をチェックすることを可能にするシステムである。
【背景技術】
【０００２】
アレルギーが蔓延し続けている中において、消費者は、消費者製品が何を含有しているのかを迅速、かつ容易に分析することを必要とする。しかしながら、これは常に容易に行うことが可能であるとは限らないのであるが、それは、パッケージには、ごく一部の物質のみ、かつ必要な物質のみを示すことがしばしばあるためである。たとえパッケージに成分が示されていたとしても、消費者は、どれが自分にとって重要なものであるのかを判定することに多くの時間を要してしまう。
【発明の開示】
【発明が解決しようとする課題】
【０００３】
本発明の目的は、その製品が消費者の要求を満たしているか否かを最適な時間で判断することを可能にする方法およびデバイスを提供することである。この目的は、独立請求項の特徴に従った発明により解決される。これらの発明の有効な実施形態を従属請求項に記載する。
【課題を解決するための手段】
【０００４】
重要な特徴は、ユーザＩＤを用いて、除外基準および望ましい基準にアクセスすることが可能な携帯端末であり、当該端末は、詳細には、バーコードリーダである入力能力を有し、中央データベースがこれを参照することによって製品特性を判断することが可能である。これら２つの情報は、ユーザデバイス上、または中央サーバ上のいずれかで比較され得る。情報の単純なインターリンクおよびローディングを用いることにより所望の結果を得るさらなる実施形態がインターネットに対して提供される。詳細を以下で説明する。
【０００５】
詳細には、商品およびサービスの特性をチェックするための本方法は、商品およびサービスの標準化された特性が記憶された第１のデータベースへのアクセスを含む。これらの特性へのアクセスを可能にするために、商品は、好ましくはバーコードである固有の製品ＩＤを備える。他の機械での読み取りが可能なＩＤも適用可能である。本発明がインターネットを介して適用される場合には、固有のリンク（ＵＲＬ）が好適な変形例である。好ましくは、情報の構造はグループ指向であるため、この情報へのアクセスは迅速に行うことが可能である。特性は、製造者によって、または製品を流通させる企業によって入力される。好ましくは、それらはＸＭＬで記憶される。割り当てに困難が生じないことを保証するために、多くの成分が用意され、そこから一部が選択される。このアプローチは、データベースシステムが継続的に適合し、新たな部類および項目によって更新されることを必要とする。
【０００６】
本方法は、商品およびサービスに関する除外基準および望ましい基準が固有のユーザＩＤを用いてアクセスされ得る、さらなるデータベース上での読取り能力を有する。これらの基準は、すでに上述したような商品およびサービスに関する基準に対応する。ここでは、ユーザは、自分がどの基準を好むか、またはどれを避けたいかをリンクによって個別に示すことができる。これは１つの考え得る実施形態であることに留意されたい。他の実施形態では、不明瞭な用語および同意語のリストを用いて、そこから情報を導出することができる。提起された問題を解決する干渉アルゴリズムを用いることも可能である。言及した基準は、ユーザによってグループ、または特定の製品もしくはサービスについて維持されるか、またはユーザが特別に適合させるテンプレートが用意され得る。よって、ハウスダストアレルギー、または他のアレルギーについて、ユーザが個人のプロフィールに組み込むだけでよいテンプレートを用意することが可能である。このプロフィールは、固有のユーザＩＤによってアクセスされる。データベースは、ユーザが製品またはサービスをマークした後に、好ましくは、インタラクティブにアクセスされ、この結果として、製品ＩＤが判定される。このＩＤは、ユーザがその固有のユーザＩＤを提供して除外基準および望ましい基準、ならびに製品ＩＤに基づく商品およびサービスの特性を判定するさらなるステップにおいて用いられる。基準が特性と比較されるさらなるステップでは、ユーザはその結果について通知される。
【０００７】
さらなる実施形態では、ユーザプロフィールは中央サーバ上には記憶されないが、携帯端末上にローカルに記憶される。この実施形態では、ローカルサーバへのインターネットアクセスは必要とされない。携帯端末は、好ましくは、無線ＬＡＮまたは他のネットワークを介して、商品およびサービスの特性が記憶されたデータベースと接続される。比較ステップは、製品特性の送信後の携帯端末、またはネットワークに存在する中央または分散デバイスのいずれかにおいて、その中央または分散デバイスに除外基準および／または望ましい基準を提供することによって行われる。製品ＩＤを記録するために、携帯端末は、バーコードを読むことができる光読取りデバイスを有し得る。
【０００８】
一方、インターネットで提供される仮想の実体がない製品がチェックされることによって、製品ＩＤが好ましくはインターネット上の固有のリンクとして構成される場合、製品ＩＤを用いた第１のデータベースへのアクセスがクリックによって可能になる。このリンクの対応する署名に基づいて価格情報を生成することが可能である。次に、売り手はこれを提供しなければならない。ユーザＩＤは、好ましくは、クライアント（コンピュータまたは携帯端末）上に記憶された情報によって提供される。しかしながら、特殊なウインドウが開き、ユーザが自身のコードを入力することも可能である。しかしながら、好適な変形例は、ユーザ情報を符号化するクッキーである。この解決法では、比較動作が中央サーバ上で行われ得る。しかしながら、比較動作を実行するクライアントに必要な情報を送信することも可能である。
【０００９】
本発明のさらなる構成要素は、商品およびサービスの特性をチェックする携帯ユーザデバイスであり、これは、好ましくは、前述の方法に関して説明したように、インフラストラクチャに組み込まれる。製品ＩＤは、読取りまたは入力ユニットを介して読み込まれるか、または入力される。ユーザＩＤ、または除外基準および望ましい基準は、記憶領域に記憶される。ユーザＩＤおよび製品ＩＤは、ネットワークアクセス手段を介して中央サーバに送られる。これらのＩＤを介して、サーバは、商品およびサービスの特性にアクセスし、除外基準および包含基準と比較する。後者は、ユーザＩＤと関連付けられる。比較結果が返信され、詳細には、一致および／または不一致の度合いである比較結果は、表示ユニットに示される。
【００１０】
改変された実施形態では、この比較が携帯端末上で行われることにより、除外基準および望ましい基準のいずれかがデバイス上に記憶されるか、またはネットワークを介してロードされる。一方、製品特性はネットワークによってロードされる。入力は、好ましくは、バーコードリーダまたはキーボードを介して行われる。筆跡鑑定を可能にするペンもまた適用可能である。ネットワークへの接続は、好ましくは、無線ＬＡＮ、ＧＳＭネットワーク、またはＵＭＴＳネットワークによって行われる。
【００１１】
本発明のさらなる構成要素は、従来のＰＤＡ上で機能を実現するソフトウェアである。詳細は請求項を参照されたい。発明のさらなる部分は、このソフトウェアを組み込んだデータキャリアである。発明の他の構成要素は、数台のインターリンクされたまたは単一のサーバから構成されたサーバシステムであり、これは、詳細には、製品およびユーザについてのデータ管理を行い、比較動作を可能にする。
【発明の効果】
【００１２】
以上のように、本発明によれば、ユーザは、好適に標準化された商品やサービスの特性が記憶されたデータベースにアクセスすることで、その商品やサービスの特性（例えば、品質性能や成分）を容易に知ることができる。また、ユーザＩＤを用いて、ユーザ毎の商品やサービスについての除外基準や望ましい基準が記憶されたデータベースにアクセスすることで、その製品やサービスが自分の要求を満たしているか否かを最適な時間で判断することができる。
【発明を実施するための最良の形態】
【００１３】
以下に、図面に模式的に示す実施形態の例を参照して、本発明をより詳細に説明する。同一の参照番号は各図面において同一の要素を示す。
前述の実施形態の種々の変形例およびさらなる開発が、本発明の範囲内において実現され得る。２つの好適な実施形態を図１および図２で説明する。図１は携帯端末１１を示し、これは、例えば、ペンの形態でも構成され得、ユーザ１２は例えば、ショッピング時に、これを用いて製品１０の成分をチェックすることができる。ユーザＩＤがデバイス１１上に記憶され、特別なケースでは、プロフィール、すなわち、除外基準および望ましい基準も記憶される。この場合、後者は、端末上での比較のために用いられる。
【００１４】
一方、ＩＤのみが存在する場合には、両方が、データベース１４および１５へのアクセスを有する中央サーバ１６に送信される。商品およびサービスの特性、ならびに除外基準および望ましい基準は、これらのデータベース上で、ＩＤを参照して判定され得る。これら２つの情報が判定された後、それらは比較され、その結果がネットワーク１３および無線リンクを介して端末１１に送信される。
【００１５】
図２は、ユーザがクライアントコンピュータ１７およびインターネットを介して中央サーバ１６に接続される、代替的な実施形態を示す。拡大した画面に示すリンク領域１９は、マウス２０によってクリックされ得、このクリックにより、固有の製品ＩＤがサーバ１６に送られる。このように、リンク領域１９はデータベース１５内の情報への参照２２を表す。参照２１は、クライアントコンピュータ１７の記憶媒体に記憶されるユーザＩＤとデータベース１４内の情報とを接続する。比較動作は、クライアントコンピュータおよびサーバの両方で行われ得る。
【産業上の利用可能性】
【００１６】
本発明の方法は、商品およびサービスの特性をチェックすること等に適しており、特にユーザが製品の品質性能および成分をチェックする場合等に有用である。
【図面の簡単な説明】
【００１７】
【図１】スキャナーを介して情報を読み取り、無線ネットワークおよびさらなるネットワークを介して、必要な情報が記憶された種々のデータベースへのアクセスを有する中央コンピュータに送信する本発明にかかる携帯端末。
【図２】対応するデータベースがリンクとして構成される領域を介して参照され、ユーザのコンピュータにクッキーが記憶される、本発明にかかるインターネット内のデバイス。
【符号の説明】
【００１８】
１０  製品
１１  スキャニングデバイスを備えた携帯端末
１２  ユーザ
１３  インターネット
１４  除外基準および／または望ましい基準が記憶されたデータベース
１５  商品および／またはサービスの特性が記憶されたデータベース
１６  データベースへのアクセスを有し、随意に比較動作を行うサーバ
１７  クライアントコンピュータ
１８  ユーザＩＤが記憶された記憶媒体
１９  リンク領域
２０  マウスポインタ
２１  ユーザＩＤと除外基準および／または望ましい基準との参照
２２  製品ＩＤと商品および／またはサービスの特性との参照
【図１】
2005539286.tif 000003
【図２】
2005539286.tif 000004
【国際調査報告】
2005539286.tif 000005
2005539286.tif 000006
2005539286.tif 000007
2005539286.tif 000008
2005539286.tif 000009
2005539286.tif 000010